(57)【要約】      （修正有）【課題】内容物の計量と注出、塗布を簡単な操作のもとで行い得る計量式塗布容器を提案する。【解決手段】内側に内容物を収納する容器本体（１）と、この容器本体の内側につながる少なくとも１つの開口（２ａ）を有し該容器本体の口部（１ａ）に嵌合保持される中栓（２）と、この中栓の外表面にて起立するロッド（３）と、このロッドを中栓とともに取り囲んで内部空間を形成するカバー体（４）と、このカバー体を覆い隠して容器本体の口部外壁に係合保持されるオーバーキャップ（７）とを備えたものに構成する。そしてさらに、オーバーキャップを、カバー体の周りを取り囲む側壁体（７ａ）と、この側壁体の端面に合わさって天面壁を形成し外力による押し込みにてノズル本体（４ｂ）を介して弾性壁部（４ａ）を変形させて容器本体内の内容物を計量空間（Ｋ）に導入する押ボタン（７ｂ）とにて構成する。【選択図】図１
2006123916.tif 000002
【特許請求の範囲】
【請求項１】
容器内の内容物を計量空間へ一旦排出して計量したのち、該計量空間の内容物のみをノズルを通して注出、塗布する計量式塗布容器であって、
内側に内容物を収納する容器本体と、この容器本体の内側につながる少なくとも１つの開口を有し該容器本体の口部に嵌合保持される中栓と、この中栓の外表面にて起立するロッドと、このロッドを中栓とともに取り囲んで内部空間を形成するカバー体と、このカバー体を覆い隠して容器本体の口部外壁に係合保持されるオーバーキャップとを備え、
前記カバー体は、容器本体の口部外壁に固定保持され外力付加による変形とその外力付加の解除によって復元する弾性壁部と、この弾性壁部につながる先端開口を有しその内側を計量空間とするノズル本体からなり、
前記カバー体に、ロッドの先端にて弾性支持され、ノズル本体の先端開口から突出して該先端開口を閉塞させる一方、外力による押し込みにて該先端開口を開放する弁体を設け、
前記ロッドとカバー体の相互間に、弾性壁部にて形成された内部空間とノズル本体の計量空間を遮断し弾性壁部の変形によってのみそれらの空間同士を連通させる仕切り弁を設け、
前記オーバーキャップは、カバー体の周りを取り囲む側壁体と、この側壁体の端面に合わさって天面壁を形成し外力による押し込みにて弾性壁部を変形させて容器本体内の内容物を計量空間に導入する押ボタンからなることを特徴とする計量式塗布容器。
【請求項２】
前記押ボタンは、前記ノズル本体の先端で弁体を内側に収めて着脱自在に係合する連係部位を有する、請求項１記載の計量式塗布容器。
【発明の詳細な説明】
【技術分野】
【０００１】
本発明は、容器内の内容物を一回使用する分だけ計量して注出、塗布するのに好適な計量式塗布容器に関するものである。
【背景技術】
【０００２】
育毛剤の如き薬液等、一回の使用量が定められているものは、容器内の薬液を取り出す際には計量する必要があり、従来は、液体を収納する容器体の口部に計量液貯留筒を設け、この計量液貯留筒を容器体に対し上昇させるとともに該容器体を反転させて該貯留筒内に液体を取り入れることによって計量を行う計量式塗布容器が知られている（例えば特許文献１参照）。
【特許文献１】特開２００２─１９３３０２号公報
【０００３】
ところで、上記従来の容器は、部品点数が多く構造が複雑であるうえ、液体の計量に際しては計量液貯留筒の上下動と容器体の反転動作を複数回にわたって繰り返す必要があり、使い勝手がよいとはいえないものであった。
【発明の開示】
【発明が解決しようとする課題】
【０００４】
本発明の課題は、構造の簡素化を図り、簡単な操作のもとで計量して注出、塗布できる新規な計量式塗布容器を提案するところにある。
【課題を解決するための手段】
【０００５】
本発明は、容器内の内容物を計量空間へ一旦排出して計量したのち、該計量空間の内容物のみをノズルを通して注出、塗布する計量式塗布容器であって、
内側に内容物を収納する容器本体と、この容器本体の内側につながる少なくとも１つの開口を有し該容器本体の口部に嵌合保持される中栓と、この中栓の外表面にて起立するロッドと、このロッドを中栓とともに取り囲んで内部空間を形成するカバー体と、このカバー体を覆い隠して容器本体の口部外壁に係合保持されるオーバーキャップとを備え、
前記カバー体は、容器本体の口部外壁に固定保持され外力付加による変形とその外力付加の解除によって復元する弾性壁部と、この弾性壁部の内部空間につながる先端開口を有しその内側を計量空間とするノズル本体からなり、
前記カバー体に、ロッドの先端にて弾性支持され、ノズル本体の先端開口から突出して該先端開口を閉塞させる一方、外力による押し込みにて該先端開口を開放する弁体を設け、
前記ロッドとカバー体の相互間に、弾性壁部にて形成された内部空間とノズル本体の計量空間を遮断し弾性壁部の変形によってのみそれらの空間同士を連通させる仕切り弁を設け、
前記オーバーキャップは、カバー体の周りを取り囲む側壁体と、この側壁体の端面に合わさって天面壁を形成し外力による押し込みにて弾性壁部を変形させて容器本体内の内容物を計量空間に導入する押ボタンからなることを特徴とする計量式塗布容器である。
【０００６】
上記の構成になる計量式塗布容器においては、前記押しボタンに、前記ノズル本体の先端で弁体を内側に収めて着脱自在に係合する連係部位を設ける。
【発明の効果】
【０００７】
容器本体を反転させてオーバーキャップの天面壁を形成する押しボタンを押し込むと弾性壁部が変形する。そうすると計量空間を遮断する仕切り弁が開放され容器本体内の内容物が計量空間へと流れ込むこととなり、内容物の計量を簡単な操作で行い得る。
【発明を実施するための最良の形態】
【０００８】
以下、図面を用いて本発明をより具体的に説明する。
図１は本発明にしたがう計量式塗布容器の実施の形態を示した図であり、この容器は構成部材の全てを合成樹脂とすることができる。
【０００９】
図における１は内容物を収納する容器本体、２は容器本体１の口部１ａにインナーリングを介して嵌合保持される中栓である。この中栓２は容器本体１の内側につながる少なくとも１つの開口２ａを有する。
【００１０】
また、３は中栓２の外表面にて起立するロッドである。このロッド３は、その頭部を膨出形状として該頭部下部に段部が形成されている。４はロッド３を中栓２とともに取り囲んで内部空間を形成するカバー体である。このカバー体４は容器本体１の口部外壁に着脱自在に固定保持され外力付加による変形とその外力付加の解除によって復元するドーム型の弾性壁部４ａと、この弾性壁部４ａにつながるノズル本体４ｂからなる。ノズル本体４ｂは先端開口４ｂ１を有しており、その内側を計量空間Ｋとする。
【００１１】
５は内容物の塗布具を兼ねた弁体である。この弁体５はロッド３の先端にてばね部材ｓを介して弾性支持され、ノズル本体４ｂの先端開口４ｂ１から突出して該先端開口４ｂ１を閉塞させており、外力による押し込みにて該先端開口４ｂ１を開放する。
【００１２】
６はロッド３とカバー体４の相互間に設けられた仕切り弁である。この仕切り弁６は弾性壁部４ａにて形成された内部空間Ｋ′とノズル本体４ｂの計量空間Ｋを遮断するもので、弾性壁部４ａの変形によってのみそれら空間同士を連通させる。なお、本実施例では、仕切り弁６はノズル本体４ｂ内面にアンダーカットにより嵌合している。
【００１３】
７はカバー体４を覆い隠し容器本体１の口部外壁に係合保持されるオーバーキャップである。このオーバーキャップ７はカバー体４の周りを取り囲む側壁体７ａと、この側壁体７ａの端面に合わさって天面壁を形成し外力による押し込みにてノズル本体４ｂを介して弾性壁部４ａを変形させて容器本体１内の内容物を内部空間Ｋ′を経て計量空間Ｋに導入する押ボタン７ｂからなっており、押ボタン７ｂの裏面にはその端部内面を段部とする筒状部が垂下されており、該筒状部によりノズル本体４ｂの先端で弁体５を内側に納めて着脱自在に係合する凹状の連結部位７ｂ１が設けられ、側壁体７ａ内面に形成された突起（又は周突条）が押ボタン７ｂ外表面に形成された縦溝（又は一定高さを有する周溝）に摺動自在に嵌合することにより抜け止め保持されている。
【００１４】
かかる構成の容器は図１に示すような姿勢にあるとき、内部空間Ｋ′及び計量空間Ｋは仕切り弁６に挿入されたロッド３の段部外周面と仕切り弁６内面との接触シール及び／またはロッド３の段部上面がばね部材ｓによって仕切り弁６に押し付けられることによって遮断されており、容器そのものを反転させても容器本体１内の内容物は内部空間Ｋ′に入り込むだけで、内容物が計量されることも、また、外部に排出されることもない。
【００１５】
一方、この容器を反転させて図２に示すようにオーバーキャップ７の押ボタン７ｂを押し込むと、ノズル本体４ｂ先端が押ボタン７ｂ裏面に形成された連結部位７ｂ１により連係されていることからノズル本体４ｂも押し込まれることになり、このノズル本体４ｂの押し込みを介して弾性壁部４ａが変形し、このとき仕切り弁６がスライドしてロッド３との相互間に内部空間Ｋ′と計量空間Ｋを連通する隙間ｃが形成される。
【００１６】
そうすると、内部空間Ｋ′内の内容物はその隙間ｃを通って計量空間Ｋへと流れ込み、計量空間Ｋ内に内容物が満たされたところで計量が完了する。
【００１７】
内容物の計量が完了した時点で押ボタン７ｂに付加した外力を取り除くと弾性壁部４ａは元の形状へと復元して仕切り弁６によって内部空間Ｋ′と計量空間Ｋは再び遮断されることになる。
【００１８】
その後、図３に示すようにオーバーキャップ７を取り外して弁体５を押し当てることで計量空間Ｋ内の内容物のみが先端開口４ｂ１を通して塗布部位に注出される。
【００１９】
本発明にしたがう計量式塗布容器は、容器本体１を反転して押ボタン７を押し込むだけの簡単な操作で計量が行えるもので、使い勝手が極めてよい。
【００２０】
仕切り弁６はカバー体４（ノズル本体４ｂの後端内部）に別体あるいは一体的に設けるか、あるいはロッド３に設けることができる。内部空間Ｋ′と計量空間Ｋを連通する隙間ｃはロッド３に凹部や溝（縦溝）を設けておき、仕切り弁６がスライドした時にその凹部や溝の相互間にて形成することができるもので、図示のものには限定されず、適宜変更が可能である。また、ロッド３の頭部についても、先の実施例に示した膨出形状に限定されるものではなく、同膨出部を形成しない形状も選択可能である。
【００２１】
弾性壁部４ａは押ボタン７ｂによる押し込みを解除した際に確実にもとの形状に復元できるものであればよく、その形状については任意に選択できる。
【００２２】
また、弾性壁部４ａの変形強度は、弁体５を押し込んで計量空間Ｋ内の内容物を注出するときに共に変形しないよう、弁体５を支持するばね部材ｓの復元力よりもやや大きくしておく。
【産業上の利用可能性】
【００２３】
押ボタンの押し付けと、塗布部位に対してノズルの弁体を押し付ける簡単な操作で計量された内容物を注出、塗付できる使い勝手のよい容器が提供できる。
【図面の簡単な説明】
【００２４】
【図１】本発明に従う計量式塗付容器の実施の形態を示した図である。
【図２】図１に示した容器の計量の仕方の説明図である。
【図３】図１に示した容器にて計量に係わる内容物を注出、塗付している状態を示した図である。
【符号の説明】
【００２５】
１  容器本体
１ａ  口部
２  中栓
２ａ  開口
３  ロッド
４  カバー体
４ａ  弾性壁部
４ｂ  ノズル本体
５  弁体
６  仕切り弁
７  オーバーキャップ
７ａ  側壁体
７ｂ  押ボタン
Ｋ  計量空間
Ｋ′内部空間
【図１】
2006123916.tif 000003
【図２】
2006123916.tif 000004
【図３】
2006123916.tif 000005